(57)【要約】【課題】釣り竿を自由に配置することができる釣り竿支持具を提供すること。【解決手段】釣り竿ａ１を受ける第１竿受けを設置する第１部材１０と、第１部材に交叉して接続する第２部材２０とを有し、第１部材がその長手方向に伸張する第１長穴１１で分断される第１長穴縁１１ａを有し、第２部材がその長手方向に伸張する第２長穴２１で分断される第２長穴縁２１ａを有し、第１長穴と第２長穴の任意の位置を合わせて第１長穴縁と第２長穴縁とを固定する第２部材前側固定手段２４を有し、第１長穴と第２長穴の合わせ位置と角度を変更することで第２部材に対する第１部材の上下高さと傾斜角度を変更可能とすることを特徴とする釣り竿支持具２とした。【選択図】図１
2019110784.tif 000002
【特許請求の範囲】
【請求項１】
釣り竿支持具と釣り台とを備える釣り竿支持装置において、
釣り竿支持具は、
釣り竿を受ける第１竿受けを設置する第１部材と、釣り竿を受ける第２竿受けを設置する第３部材と、第１部材と第３部材に交叉してそれらに接続する第２部材と、第２部材を釣り台に接続するＬ型アングルと、を備え、
第１部材がその長手方向に伸張する第１長穴で分断される第１長穴縁を有し、
第２部材がその長手方向に伸張する第２長穴で分断される第２長穴縁を有し、
第３部材がその長手方向に伸張する第３長穴で分断される第３長穴縁を有し、
第１長穴と第２長穴の任意の位置を合わせて第１長穴縁と第２長穴縁とを固定する第２部材前側固定手段と、第３長穴と第２長穴の任意の位置を合わせて第３長穴縁と第２長穴縁とを固定する第２部材後側固定手段と、を有し、
第１長穴と第２長穴の合わせ位置と角度を変更することで第２部材に対する第１部材の上下高さと傾斜角度を変更可能で、第３長穴と第２長穴の合わせ位置と角度を変更することで第２部材に対する第３部材の上下高さと傾斜角度を変更可能であり、
Ｌ型アングルは、そのＬ字を形成する一方側の片には、第１丸穴と第１縦長穴とを有して第２部材と接続し、他方側の片には第２丸穴を有して釣り台と接続するようになっており、
この第１縦長穴の位置を変えて前記第２長穴の第２長穴縁と第１縦長穴の穴縁とを固定し、釣り台に対する第２支持部の配置角度を変更可能であり、
釣り台は、
釣り竿支持具と接続する接続部と、平台と、脚と、椅子と、を備え、
前記接続部が、その長手方向に伸張する第４長穴で分断される第４長穴縁を有し、この第４長穴縁を通じて釣り竿支持具を固定するものであり、
椅子の前側の前脚と後側の後脚とが交叉し、当該交叉位置で前脚と後脚が互いに回動自在に軸支され、当該椅子が折りたたみ椅子とされており、
平台の後側の脚と前記椅子の前脚が兼用された共通脚からなるものであることを特徴とする釣り竿支持装置。
【請求項２】
釣り竿支持具において、
釣り竿を受ける第１竿受けを設置する第１部材と、第１部材に交叉して接続する第２部材と、何らかの固定された場所に取り付けるための取付部を有し、
第１部材がその長手方向に伸張する第１長穴で分断される第１長穴縁を有し、
第２部材がその長手方向に伸張する第２長穴で分断される第２長穴縁を有し、
第１長穴と第２長穴の任意の位置を合わせて第１長穴縁と第２長穴縁とを固定する第２部材前側固定手段を有し、
第１長穴と第２長穴の合わせ位置と角度を変更することで第２部材に対する第１部材の上下高さと傾斜角度を変更可能とすることを特徴とする釣り竿支持具。
【請求項３】
釣り竿支持具において、
前記第２部材に対して交叉する第３部材をさらに設け、
当該第３部材が釣り竿を受ける第２竿受けを設置しており、第３部材の長手方向に伸張する第３長穴で分断される第３長穴縁を有し、
第２長穴と第３長穴の任意の位置を合わせて第２長穴縁と第３長穴縁とを固定する第２部材後側固定手段を有し、
第３長穴と第２長穴の合わせ位置と角度を変更することで第２部材に対する第３部材の上下高さと傾斜角度を変更可能とすることを特徴とする請求項２記載の釣り竿支持具。
【請求項４】
釣り竿支持具において、
前記第２部材に竿掛けを支持する竿掛け支持部を有する請求項２または請求項３記載の釣り竿支持具。
【請求項５】
釣り竿支持具において、
第２部材を釣り台に接続するＬ型アングルをさらに有し、このＬ型アングルを前記取付部とする請求項２〜請求項４何れか１項記載の釣り竿支持具。
【請求項６】
前記Ｌ型アングルは、そのＬ字を形成する一方側の片には、第１丸穴と第１縦長穴とを有して第２部材と接続し、他方側の片には第２丸穴を有して釣り台と接続するようになっており、この第１縦長穴の穴縁の位置を変えて、前記第２長穴の第２長穴縁と第１縦長穴の穴縁とを固定することで釣り台に対する第２支持部の配置角度を変更可能としている請求項５記載の釣り竿支持具。
【請求項７】
前記Ｌ型アングルの前記一方側の片に、第３丸穴と第２縦長穴とをさらに有する請求項６記載の釣り竿支持具。
【請求項８】
前記取付部が、何らかの固定された場所に対して挟み込む万力である請求項２〜請求項４何れか１項記載の釣り竿支持具。
【請求項９】
釣り台において、
釣り竿支持具と接続する接続部と、平台と、脚とを有し、
前記接続部が、その長手方向に伸張する第４長穴で分断される第４長穴縁を有し、この第４長穴縁を通じて釣り竿支持具を固定する釣り台。
【請求項１０】
釣り台において、
釣り竿支持具と接続する接続部と、平台と、脚と、椅子と、を有し、
前記椅子の前側の前脚と後側の後脚とが交叉し、当該交叉位置で前脚と後脚が互いに回動自在に軸支され、当該椅子が折りたたみ椅子とされている釣り台。
【請求項１１】
釣り竿支持装置に用いる釣り台において、平台の後側の脚と前記椅子の前脚が兼用された共通脚からなる請求項１０記載の釣り台。
【請求項１２】
前記脚のうち、平台の前側に配置する脚を伸縮自在脚とするとともに先端を細形状とした請求項９〜請求項１１何れか１項記載の釣り台。
【請求項１３】
請求項２〜請求項８何れか１項記載の釣り竿支持具と、請求項９〜請求項１２何れか１項記載の釣り台とを備える釣り竿支持装置。
【発明の詳細な説明】
【技術分野】
【０００１】
本発明は、魚釣りに用いる釣り竿支持装置と、釣り竿支持具及び釣り台に関する。
【背景技術】
【０００２】
従来、魚釣りに用いる釣り竿を固定するための釣り竿支持具として様々な種類のものが知られているが、ヘラブナ釣り用の釣り竿保持具としては、例えば、特開昭６１−２６０８２５号公報（特許文献１）に記載されている。
【先行技術文献】
【特許文献】
【０００３】
【特許文献１】特開昭６１−２６０８２５号公報
【発明の概要】
【発明が解決しようとする課題】
【０００４】
しかしながら、上記特開昭６１−２６０８２５号公報（特許文献１）記載の技術では、釣り竿の先端を水面上の所望の位置に置くための取扱い操作が容易ではなく、釣りを十分に楽しむことができなかった。そこで本発明は、釣りをもっと楽しめることができるように、所望の位置、角度に釣り竿や、場合によっては竿掛けを置くことができる竿支持装置と、釣り竿支持具及び釣り台を提供する。
【課題を解決するための手段】
【０００５】
上記目的を達成するため本発明の釣り竿支持装置は、次のように構成される。
即ち、釣り竿支持具と釣り台とを備える釣り竿支持装置について、
釣り竿支持具は、釣り竿を受ける第１竿受けを設置する第１部材と、釣り竿を受ける第２竿受けを設置する第３部材と、第１部材と第３部材に交叉してそれらに接続する第２部材と、第２部材を釣り台に接続するＬ型アングルと、を備え、第１部材がその長手方向に伸張する第１長穴で分断される第１長穴縁を有し、第２部材がその長手方向に伸張する第２長穴で分断される第２長穴縁を有し、第３部材がその長手方向に伸張する第３長穴で分断される第３長穴縁を有し、第１長穴と第２長穴の任意の位置を合わせて第１長穴縁と第２長穴縁とを固定する第２部材前側固定手段と、第３長穴と第２長穴の任意の位置を合わせて第３長穴縁と第２長穴縁とを固定する第２部材後側固定手段と、を有し、第１長穴と第２長穴の合わせ位置と角度を変更することで第２部材に対する第１部材の上下高さと傾斜角度を変更可能で、第３長穴と第２長穴の合わせ位置と角度を変更することで第２部材に対する第３部材の上下高さと傾斜角度を変更可能であり、
Ｌ型アングルは、そのＬ字を形成する一方側の片には、第１丸穴と第１縦長穴とを有して第２部材と接続し、他方側の片には第２丸穴を有して釣り台と接続するようになっており、この第１縦長穴の位置を変えて前記第２長穴の第２長穴縁と第１縦長穴の穴縁とを固定し、釣り台に対する第２支持部の配置角度を変更可能であり、
釣り台は、釣り竿支持具と接続する接続部と、平台と、脚と、椅子と、を備え、前記接続部が、その長手方向に伸張する第４長穴で分断される第４長穴縁を有し、この第４長穴縁を通じて釣り竿支持具を固定するものであり、椅子の前側の前脚と後側の後脚とが交叉し、当該交叉位置で前脚と後脚が互いに回動自在に軸支され、当該椅子が折りたたみ椅子とされており、平台の後側の脚と前記椅子の前脚が兼用された共通脚からなるものであることを特徴とする釣り竿支持装置である。
【０００６】
また本発明は、釣り竿支持具について、釣り竿を受ける第１竿受けを設置する第１部材と、第１部材に交叉して接続する第２部材と、何らかの固定された場所に取り付けるための取付部を有し、第１部材がその長手方向に伸張する第１長穴で分断される第１長穴縁を有し、第２部材がその長手方向に伸張する第２長穴で分断される第２長穴縁を有し、第１長穴と第２長穴の任意の位置を合わせて第１長穴縁と第２長穴縁とを固定する第２部材前側固定手段を有し、第１長穴と第２長穴の合わせ位置と角度を変更することで第２部材に対する第１部材の上下高さと傾斜角度を変更可能とすることを特徴とする釣り竿支持具を提供する。
【０００７】
上記第１部材と第２部材について、第１部材がその長手方向に伸張する第１長穴で分断される第１長穴縁を有し、第２部材がその長手方向に伸張する第２長穴で分断される第２長穴縁を有し、第１長穴と第２長穴の任意の位置を合わせて第１長穴縁と第２長穴縁とを固定する第２部材前側固定手段を有しているため、第１長穴と第２長穴の合わせ位置と角度を変更することで第２部材に対する第１部材の上下高さと傾斜角度を変更可能とすることができる。そのため、第２部材に対する第１竿受けの上下高さと傾斜角度を変えることができるので、釣り人の所望の位置に釣り竿を配置することができる。
【０００８】
そして、釣り竿支持具について、前記第２部材に対して交叉する第３部材をさらに設け、当該第３部材が釣り竿を受ける第２竿受けを設置しており、第３部材の長手方向に伸張する第３長穴で分断される第３長穴縁を有し、第２長穴と第３長穴の任意の位置を合わせて第２長穴縁と第３長穴縁とを固定する第２部材後側固定手段を有し、第３長穴と第２長穴の合わせ位置と角度を変更することで第２部材に対する第３部材の上下高さと傾斜角度を変更可能とすることを特徴とする釣り竿支持具とすることができる。
【０００９】
上記第３部材と第２部材について、第３部材がその長手方向に伸張する第３長穴で分断される第３長穴縁を有し、第２長穴と第３長穴の任意の位置を合わせて第２長穴縁と第３長穴縁とを固定する第２部材後側固定手段を有しているため、第３長穴と第２長穴の合わせ位置と角度を変更することで第２部材に対する第３部材の上下高さと傾斜角度を変更可能とすることができる。そのため、第２部材に対する第２竿受けの上下高さと傾斜角度を変えることができるので、釣り人の所望の位置に釣り竿を配置することができる。特に、第２部材に対して第１部材における第１竿受けと第３部材における第２竿受けの上下高さと傾斜角度を変えることができるので、第１竿受けと第２竿受けの相対的高さ、傾斜角度を変えることができ、第１竿受けと第２竿受け間を略一直線で結ぶこととなる釣り竿を所望の高さ、傾斜角度に無理なく載置することができる。
【００１０】
釣り竿支持具について、前記第２部材に竿掛けを支持する竿掛け支持部を有する釣り竿支持具とすることができる。
第２部材に竿掛けを支持する竿掛け支持部を設けたため、第２部材の上に簡単に竿掛けを置き、固定することができる。そのため、第２部材上に竿掛けを配置し、その上にある第１竿受け上に釣り竿を配置することで、上下方向に釣り竿と竿掛けとを並べて配置することができる。そのため、ヘラブナ釣りにおいて、好適な位置及び角度に釣り竿と竿掛けを置き、当たりを待つことができ、釣りを楽しむことができる。
【００１１】
竿掛け支持部は、第２部材における第１部材や第３部材との接触面となる面と交叉する面における第２長穴と第２長穴縁とすることができ、また、第２部材を板状片で形成すれば、その長手方向に伸張し当該第２部材の後側端に開口する竿掛け支持溝として設けることもできる。
こうした第２長穴や竿掛け支持溝を設けることで、竿掛けの後端部に設けた突起をひっかけることができ、竿掛けを第２部材上に載置、固定することができる。
【００１２】
釣り竿支持具について、第２部材を釣り台に接続するＬ型アングルをさらに有し、このＬ型アングルを前記取付部とする釣り竿支持具とすることができる。
釣り竿支持具について、第２部材を釣り台に接続するＬ型アングルをさらに有し、このＬ型アングルを前記取付部とする釣り竿支持具とすれば、このＬ型アングルを通じて釣り竿支持具と釣り台とを接合することができる。また、Ｌ型アングルという別部材を一つ余分に設けることで固定手段を設けるスペースを増やすことができ、釣り台に対する釣り竿支持具の付設位置を簡単に移動することができる。
【００１３】
前記Ｌ型アングルは、そのＬ字を形成する一方側の片には、第１丸穴と第１縦長穴とを有して第２部材と接続し、他方側の片には第２丸穴を有して釣り台と接続するようになっており、この第１縦長穴の穴縁の位置を変えて、前記第２長穴の第２長穴縁と第１縦長穴の穴縁とを固定することができる。
前記Ｌ型アングルは、そのＬ字を形成する一方側の片には、第１丸穴と第１縦長穴とを有して第２部材と接続し、他方側の片には第２丸穴を有して釣り台と接続するようになっており、この第１縦長穴の穴縁の位置を変えて前記第２長穴の第２長穴縁と固定することができるため、釣り台に対する第２支持部の配置角度を変更可能とすることができる。そのため、竿掛けを載置する第２部材の角度を変えることで、水面に対して竿掛けの先端を適当な位置に配置することが容易になる。
【００１４】
Ｌ型アングルと第２部材との固定には、Ｌ型アングル内第１固定手段と、Ｌ型アングル内第３固定手段を用い、Ｌ型アングルと釣り台との固定には、Ｌ型アングル内第２固定手段を用いることができる。
Ｌ型アングルと第２部材との固定にＬ型アングル内第１固定手段と、Ｌ型アングル内第３固定手段を用いたため、Ｌ型アングルに対する第２部材の傾斜角度を変更して互いに固定することができる。また、Ｌ型アングルと釣り台との固定にＬ型アングル内第２固定手段を用いたため、釣り台の所望の位置に移動して簡単にＬ型アングルを固定することができる。
【００１５】
前記Ｌ型アングルの前記一方側の片には、第３丸穴と第２縦長穴とをさらに設けることができる。第３丸穴と第２縦長穴とをさらに設けることで、第１丸穴と第１縦長穴とを通じて第２部材に接続することに代えて、第３丸穴と第２縦長穴とで第２部材に接続するように接続位置を変更できる。そのため、Ｌ型アングルの位置を、釣り竿支持具を正面に見た際の向かって左側に配置する代わりに右側に配置しても同様の機能を発揮することができる。したがって、クランプレバーの位置も左側に代えて右側に配置させることができ、左効きのヒトの場合の操作を容易にできるというメリットがある。
【００１６】
前記取付部が、何らかの固定された場所に対して挟み込む万力であるものとして構成できる。取付部を何らかの固定された場所に対して挟み込む万力として構成したため、この万力を挟み込むことができる部分があれば、この釣り竿支持具を取り付けることができる。したがって、海釣りや船釣りの場合にもこの釣り竿支持具を利用することができる。
【００１７】
更に本発明は、釣り台について、釣り竿支持具と接続する接続部と、平台と、脚とを有し、前記接続部が、その長手方向に伸張する第４長穴で分断される第４長穴縁を有し、この第４長穴縁を通じて釣り竿支持具を固定する釣り台を提供する。
釣り竿支持具と接続する接続部と、平台と、脚とを有し、前記接続部が、その長手方向に伸張する第４長穴で分断される第４長穴縁を有し、この第４長穴縁を通じて釣り竿支持具を固定したため、第４部材の長手方向に長さを有する第４長穴における様々な位置で釣り竿支持具を接続することができ、釣り人の取扱い易い位置に釣り竿支持具を設置できる。そのため、快適な釣りを楽しむことができる。
【００１８】
また、釣り台について、釣り竿支持具と接続する接続部と、平台と、脚と、椅子と、を有し、前記椅子の前側の前脚と後側の後脚とが交叉し、当該交叉位置で前脚と後脚が互いに回動自在に軸支され、当該椅子が折りたたみ椅子とされている釣り台を提供する。
椅子を有し、その椅子の前側の前脚と後側の後脚とが交叉し、当該交叉位置で前脚と後脚が互いに回動自在に軸支され、当該椅子が折りたたみ椅子とされているため、折り畳むことができ、持ち運びや収納に便利である。
【００１９】
そして、釣り台について、平台の後側の脚と前記椅子の前脚が兼用された共通脚からなる釣り台とすることができる。
釣り竿支持装置に用いる釣り台について、平台の後側の脚と前記椅子の前脚が兼用された共通脚からなる釣り台としたため、椅子を平台に一体化して折り畳むことができる。
【００２０】
前記脚のうち、平台の前側に配置する脚を伸縮自在脚とするとともに先端を細形状とした構成とすることができる。
前記脚のうち、平台の前側に配置する脚を伸縮自在脚としたため、釣り台の設置箇所（地面等）の傾きに応じてこの脚の長さを伸縮させて変化させることができ、平台が好適な傾斜となるように釣り台を設置できる。また、この脚の先端を細形状としたため、設置箇所（地面等）に対して突き刺すことができ、釣り台を設置箇所に対して安定的に設置でき、かつ、釣り竿支持具を通じて釣り台に対して引っ張られる力が働いても釣り台を容易に動かないようにすることができる。
【００２１】
そして本発明は、上記何れかの釣り竿支持具と上記何れかの釣り台とを併せ持つ釣り竿支持装置とすることができる。
上記何れかの釣り竿支持具と上記何れかの釣り台とを併せ持つ釣り竿支持装置としたため、上記何れかの釣り竿支持具の特徴と、上記何れかの釣り台の特徴とを併せ持つことができる。
【発明の効果】
【００２２】
本発明の釣り竿支持装置、釣り竿支持具及び釣り台によれば、釣り竿を所望の位置に配置して釣りを楽しむことができる。
【図面の簡単な説明】
【００２３】
【図１】本発明の釣り竿支持装置の概略斜視図である。
【図２】本発明の釣り竿支持具の左側面図である。
【図３】図２の釣り竿支持具の右側面図である。
【図４】図２の釣り竿支持具の背面図である。
【図５】図２の釣り竿支持具の平面図である。
【図６】四角柱状アルミパイプの斜視図である。
【図７】図１のVII−VII線拡大断面図である。
【図８】図１のVIII−VIII線拡大断面図である。
【図９】図１のIX−IX線拡大断面図である。
【図１０】第１部材の位置、角度を変えた場合の図２相当左側面図である。
【図１１】第３部材の位置、角度を変えた場合の図２相当左側面図である。
【図１２】第２部材の角度を変えた場合の図２相当左側面図である。
【図１３】図１の釣り竿支持装置の前側拡大斜視図である。
【図１４】図１の釣り竿支持装置の後側拡大斜視図である。
【図１５】竿掛けを第２部材に固着する竿掛け支持部を説明する説明図である。
【発明を実施するための形態】
【００２４】
本発明の釣り竿支持装置並びに釣り竿支持具及び釣り台について実施形態に基づいて詳しく説明する。
釣り竿支持装置１は、釣り台３と釣り竿支持具２とからなり、海釣り、川釣り等どんな釣りについても適用できるが、特にヘラブナ釣り等に好適な道具である。
図１で示すように、釣り竿支持装置１の概略構成は、平台５と、脚６と、椅子７とを備える釣り台３に、釣り竿支持具２が取り付けられたものであり、ヘラブナ釣りに用いる場合を例に説明すると、釣り竿支持具２に竿掛けａ２と釣り竿ａ１を置くことで椅子７に座りながら魚の当たりを待つことができ、仕掛けに対するエサ付け等を平台５の上で行うことができる。以下、釣り竿支持装置１を構成する部位について説明する。
【００２５】
釣り竿支持具：
釣り竿支持具２は、釣り竿ａ１や竿掛けａ２を手に持たずに支えることができる器具である。この釣り竿支持具２の左側面図を図２に、右側面図を図３に、背面図を図４に、平面図を図５にそれぞれ示す。なお、図１の釣り竿支持装置１において、釣り竿ａ１の糸を垂れる先端から釣り竿ａ１の持ち手の方に向かう方向に見た図を正面図としている。また、釣り竿ａ１の糸を垂れる先端の方を前側、持ち手の方を後側と便宜上、呼ぶものとする。
【００２６】
これらの図で示すように、釣り竿支持具２は、釣り竿を受ける前方竿受け１８と、後方竿受け３８と、前方竿受け１８を設置する第１部材１０と、後方竿受け３８を設置する第３部材３０と、第１部材１０や第３部材３０に交叉する第２部材２０と、Ｌ型アングル５０とを有している。なお、本明細書や特許請求の範囲において、第１、第２、・・と序数で示す部材の数字は、それぞれの部材を区別する数字であって、それ以上の意味はない。
【００２７】
本実施形態では、第１部材１０は長手方向２辺に補強用曲げを有するアルミ製の板状片でなり、第１部材１０の上端には、Ｕ字状の前方竿受け１８が付設されている。また、第１部材１０の中央部分には長手方向に伸張する第１長穴１１が形成され、その第１長穴１１の周囲は第１部材１０の板厚からなる第１長穴縁１１ａが形成されている。
第３部材３０は、本実施形態では第１部材１０と同一形状の板状片からなり、第３部材３０の上端には、Ｏ字状の後方竿受け３８が付設され、中央部分には第３長穴３１と第３長穴縁３１ａが形成されている。第１長穴１１や第１長穴縁、あるいは第３長穴３１や第３長穴縁は第２部材２０との接続に寄与する部位である。
【００２８】
第１部材１０と第３部材３０の何れとも交叉する第２部材２０は、断面正方形状で４表面の何れにもその中央部分には、長手方向に伸張する溝を有する図６で示すような四角柱状アルミパイプで形成されている。このアルミパイプは、その表面の一面に形成される溝は第２長穴２１をなし、その第２長穴２１の内側は大きく凹んで第２長穴縁２１ａが形成されている。こうした形状をしているため、構造上強固であるのに重量は軽く、第２長穴縁２１ａを通じて他部材との多様な連結方法を採用することができる。また、このアルミパイプの一面を第１部材１０や第３部材３０との固定部位として用いる一方で、これに垂直な上面を竿掛けａ２を置く支持台として用いることができる。アルミパイプの上面に設けた第２長穴２１を竿掛けａ２の後端に設けた突起の固定部位（竿掛け支持部２９）とすることができる。そして、この第２長穴２１に、図５で示すようなストッパー２８を設けることで竿掛けａ２に設けた固定部位が反対側から抜け落ちないようにすることができる。
【００２９】
Ｌ型アングル５０は、第２部材２０を後述する釣り台３の接続部４と接続するための部品であってＬ字状の板状部材から形成される。このＬ型アングル５０のＬ字状の一方側を第２部材２０に接続し、他方側を釣り台３に接続するようにしている。Ｌ型アングル５０のＬ字を形成する一方側の片５０ａには、第１丸穴５１と第１縦長穴５３とを有し、他方側の片５０ｂには第２丸穴５２を有している。第１丸穴５１は、第２部材と接続するためのビスＢを通すものであり、第１縦長穴５３は、上下方向に長さを有し、後述するように釣り台３に対して第２部材２０の角度を変更可能とするための部位である。第２丸穴５２は、釣り台３の接続部４に接続固定するためのビスＢを通す部位である。
【００３０】
なお、本実施形態で用いるＬ型アングル５０ではさらに、図２の一部にＬ型アングル５０だけを抜き出して示すが、この図で示すように、一方側の片５０ａにはさらに、第３丸穴５７と第２縦長穴５８とを有している。Ｌ型アングル５０と第２部材２０との接続に関し、第１丸穴５１と第１縦長穴５３に代えて第３丸穴５７と第２縦長穴５８を用いることで、正面から見て第２部材２０の左側面側にＬ型アングル５０を取り付けずに第２部材２０の右側側面にＬ型アングルを取り付けることができる。
【００３１】
第１部材１０と第２部材２０は、図２や図３、図７で示すように、第１部材１０に設けた第１長穴１１と第２部材２０に設けた第２長穴２１の任意の位置を合わせて、それぞれの第１長穴縁１１ａと第２長穴縁２１ａとを、クランプレバーＬとナットＮ等を通じて固定する第２部材前側固定手段２４により固定している。また同様に、第３部材３０と第２部材２０は、第３部材３０に設けた第３長穴３１と第２部材２０に設けた第２長穴２１の任意の位置を合わせて、それぞれの第３長穴縁３１ａと第２長穴縁２１ａとを、クランプレバーＬとナットＮ等を通じて固定する第２部材後側固定手段２５により固定している。
【００３２】
第１部材１０と第２部材２０の接続は、上記の構成によるため、第２部材前側固定手段２４を緩めることにより、第１長穴１１と第２長穴２１の合わせ位置と角度を適当に変更し、その位置で第２部材前側固定手段２４を締めることにより、図１０で示すように、第２部材２０に対して第１部材１０の上下高さと傾斜角度を変更することができる。
【００３３】
第３部材３０と第２部材２０の接続も、第１部材１０と第２部材２０の接続と同様であり、第２部材後側固定手段２５を緩めることにより、第３長穴３１と第２長穴２１の合わせ位置と角度を適当に変更し、その位置で第２部材後側固定手段２５を締めることにより、図１１で示すように、第２部材２０に対して第３部材３０の上下高さと傾斜角度を変更することができる。
【００３４】
このように、第２部材２０に対して第１部材１０や第３部材３０が変位することが可能なことから、第１部材１０に設けた前方竿受け１８と第３部材に設けた後方竿受け３８は、互いに様々な高さ、間隔（長さ）、角度を取り得ることができ、釣り竿ａ１を自由な位置で固定することができる。
【００３５】
第２部材２０とＬ型アングル５０の接続は、図２、図４、図８、そして図９で示すが、まず図９で示すように、第２部材２０の第２長穴縁２１ａとＬ型アングル５０の第１丸穴５１とを位置合わせし、ビスＢとナットＮ等のＬ型アングル内第１固定手段５４でネジ締めするとともに、図８で示すように、第２部材２０第２長穴縁２１ａとＬ型アングル５０の第１縦長穴５３とを位置合わせし、クランプレバーＬとナットＮ等のＬ型アングル内第１固定手段５４でネジ締めして行う。なお、第１固定手段５４による第２部材２０とＬ型アングル５０の固定は、これらの両者を完全に固定するのではなく、ビスＢを回転軸として第２部材２０に対してＬ型アングル５０が回動自在となるような固定である。また、Ｌ型アングル５０と釣り台３との接続は後述する。
【００３６】
第２部材２０とＬ型アングル５０の接続は、上記の構成によるため、Ｌ型アングル内第１固定手段５４で軸支された箇所を支点とし、Ｌ型アングル内第３固定手段５６によって固定するＬ型アングル５０の第１縦長穴５３の固定位置を変化させることで、図１２で示すように、Ｌ型アングル５０に対して第２部材２０の傾斜角度を変更することができる。
【００３７】
このように、Ｌ型アングル５０に対して第２部材２０の傾斜角度を調整することが可能なことから、第２部材２０の上に載置した竿掛けａ２の長手方向の水面に対する角度を変化させることができ、竿掛けａ２の先端を水面から所望の高さに配置するよう微調整することができる。
【００３８】
また、Ｌ型アングル５０と第２部材２０との接続に関し、第１丸穴５１と第１縦長穴５３に代えて第３丸穴５７と第２縦長穴５８を用い、正面から見て第２部材２０の右側側面にＬ型アングルを配置して、第２部材２０の右側面側の第２長穴縁２１ａと第３丸穴５７とを位置合わせし、ビスＢとナットＮ等のＬ型アングル内第１固定手段５４でネジ締めするとともに、同第２長穴縁２１ａと第２縦長穴５８とを位置合わせし、クランプレバーＬとナットＮ等のＬ型アングル内第３固定手段５６でネジ締めして行うことができる。この場合の第１固定手段５４による第２部材２０とＬ型アングル５０の固定も、ビスＢを回転軸として第２部材２０に対してＬ型アングル５０が回動自在となるような固定である。
【００３９】
第２部材２０とＬ型アングル５０をこうして接続しても、第１丸穴５１と第１縦長穴５３を通じてＬ型アングルを取り付けた場合と同様に、第２部材２０とＬ型アングル５０との傾斜角度を変更することができる。この場合は、第１固定手段５４のクランプレバーを正面から見て右側におくことができので、左効きのヒトにとって操作し易い構成となる。
【００４０】
竿掛けａ２の後端に縦断面がＴ字形の突起Ｔを付けておくと、竿掛けａ２を第２部材２０の上面に置く際に、その突起Ｔを第２部材２０の上面の第２長穴２１内に挿入することで、竿掛けａ２の突起Ｔが第２長穴２１の穴縁２１ａに係止し、竿掛けａ２を第２部材２０に固定できる。また、この第２長穴２１内にはストッパー２８を設けているため、大型魚がヒットした際に竿掛けａ２が引っ張られたとしても、その突起Ｔがストッパー２８に引っかかって止まり、竿掛けａ２が第２部材２０から外れることがない。
【００４１】
釣り台：
釣り台３は、釣り竿支持具２を固定するための土台であり、仕掛けの準備等のための作業台であり、釣り人が腰を下ろすことができる腰掛けである。本実施形態の釣り台３におけるより具体的な構成は、図１や図１２、図１３で示すように、釣り竿支持具２と接続する接続部４と、平台５と、脚６と、椅子７と、小物入れ８と、を有している。
【００４２】
釣り竿支持具２と接続する接続部４として、本実施形態では第３部材３０と同じ材料である４面溝のあるアルミパイプを用いることができ、これを第４部材４０とすると、第４部材４０は、図５で示すように、その長手方向に伸張する第４長穴４１で分断される第４長穴縁４１ａを有し、この第４長穴縁を通じてＬ型アングル５０と接続することで、釣り竿支持具２を付設することができる。
【００４３】
平台５は、作業台とできるような薄い板状の部材でなり少なくとも３辺を第４部材４０と同一の四角柱状アルミパイプに接続して安定保持している。椅子７は、釣り人が腰掛けられる部分であり、座ったときの座り心地を良くし、折り畳みできるように座面は布地で形成されることが好ましく、この座面を形成する布地を接続した丸パイプを脚６で支えている。脚６は、前記接続部４や平台５、そして椅子７を支持する部位である。
【００４４】
釣り竿支持具２の釣り台３に対する接続は、上述のとおり、釣り竿支持具２のＬ型アングル５０と、釣り台の接続部４である第４部材４０とを固定することにより行うが、これは図９で示すように、第４部材４０第４長穴縁４１ａとＬ型アングル５０の第２丸穴５２とを位置合わせし、クランプレバーＬとナットＮ等のＬ型アングル内第２固定手段５５でネジ締めして行う。
【００４５】
第４部材４０は、図１で示すように、釣り台３の前側にあって、左右方向に伸張した部材であり、その長手方向に沿って第４長穴４１を備えているため、釣り竿支持具２を第４部材の長手方向に沿う第４長穴４１内の任意の位置で固定することができ、釣り人の好みにより左右方向の位置を適宜変更して設置することができる。また、釣り竿支持具２を複数個準備して第４部材４０に設置することができ、一対の釣り竿ａ１と竿掛けａ２以外にも複数対の釣り竿ａ１と竿掛けａ２を固定することも可能である。
【００４６】
本実施形態では、椅子７の前側の前脚６ａと後側の後脚６ｂとが交叉し、当該交叉位置で前脚６ａと後脚６ｂが互いに回動自在にビス止めされた椅子支持軸７ａで軸支されているので、前脚６ａと後脚６ｂとを重ねるようにすることで、当該椅子７が折りたたみ椅子となり、持ち運びに便利である。また、平台５の後側の脚を椅子７の前脚６ａと兼用した共通脚としたため、広げた場合に、平台５と椅子７の両者の大きさを足した分だけ前後方向に長くなるのに対して、折り畳んだ場合には、平台５の大きさより若干大きい程度に小さく折り畳むことができる。
【００４７】
平台５を支持する脚のうち、平台５の前側に配置する最前脚６ｃは、四角柱状アルミパイプの先にアングル脚をクランプレバーで取り付けることで、最前脚６ｃを伸縮自在脚としている。また、アングル脚は、先端を細形状、本実施形態では先細り形状としている。このため、地面の傾斜の程度にかかわらず平台５を水平にするように、また高さも調整でき、さらに、竿掛けａ２とともに釣り台３が大型魚によって引き込まれそうになる場合でも、アングル脚の先端が地面に刺さって、釣り台３が動いてしまうことを防ぐことができる。
【００４８】
このように釣り竿支持具２を釣り台３に付設した釣り竿支持装置１は、持ち運びが容易で、所望の位置、角度に釣り竿ａ１と竿掛けａ２を配置することができ、釣りを楽しむことができる。
【００４９】
変更形態：
上記実施形態は本発明の例示であり、本発明の趣旨を逸脱しない範囲で、実施形態の変更または公知技術の付加や、組合せ等を行い得るものであり、それらの技術もまた本発明の範囲に含まれるものである。
【００５０】
例えば、各部材は適宜変更が可能であり、第１部材１０や第３部材３０に四角柱状アルミパイプを用いても良く、第２部材２０に四角柱状アルミパイプの代わりにＬ型アングルに長穴を設けたような部材を用いることもできる。図１５（ａ）には、第２部材２０にこうした部材を用いてその端に切欠を設けて竿掛け支持部２９を形成した釣り竿支持具を示す。この竿掛け支持部２９に図１５（ｂ）で示す竿掛けａ２の持ち手側端部にある突起Ｔを差し込めば、第２部材２０の上に竿掛けａ２を載置して固定することができる。なお、竿掛けａ２に設ける突起Ｔは、図１５（ｂ）で示すように、２つとしたり、角材を使用したりすることで、竿掛けａ２が左右に振れることなく第２部材２０上に固定することができる。
【００５１】
クランプレバーＬは、ネジを緩めたり締めたりするのが容易なことから採用しているが、クランプレバーＬの代わりに一般的なネジを用いても良い。
【００５２】
Ｌ型アングル５０で第２部材２０と第４部材４０を接続していたが、釣り竿支持具２を第４部材４０に固定して動かさない場合には、Ｌ型アングル５０を用いずに、第２部材２０の第２長穴縁２１ａと第４部材４０の第４長穴縁４１ａとをビスＢとナットＮで挟持して接続することもできる。
【００５３】
ヘラブナ釣り等で竿掛けａ２の先端に釣り竿ａ１を置くような場合には、後方竿受け３８や、それを支持する第３部材３０を使わないこともできる。
【００５４】
図５で示す第２部材２０に設けた紐通し穴２７のような箇所を釣り竿支持具２や釣り台３に設け、釣り竿ａ１や竿掛けａ２との間でスパイラル等の紐で結びつけることで、釣り竿ａ１等が魚に引き寄せられて持っていかれることを防止することができる。
【符号の説明】
【００５５】
ａ１  釣り竿
ａ２  竿掛け
Ｔ  突起
１  釣り竿支持装置
２  釣り竿支持具
３  釣り台
４  接続部
５  平台
６  脚
６ａ  前脚
６ｂ  後脚
６ｃ  最前脚
７  椅子
７ａ  椅子支持軸
８小物入れ
１０  第１部材
１１  第１長穴
１１ａ  第１長穴縁
１８  前方竿受け
２０  第２部材
２１  第２長穴
２１ａ  第２長穴縁
２４  第２部材前側固定手段
２５  第２部材後側固定手段
２７  紐通し穴
２８  ストッパー
２９  竿掛け支持部
３０  第３部材
３１  第３長穴
３１ａ  第３長穴縁
３８  後方竿受け
４０  第４部材
４１  第４長穴
４１ａ  第４長穴縁
５０  Ｌ型アングル
５０ａ  片（一方側）
５０ｂ  片（他方側）
５１  第１丸穴
５１ａ  第１丸穴縁
５２  第２丸穴
５２ａ  第２丸穴縁
５３  第１縦長穴
５３ａ  第１縦長穴縁
５４  Ｌ型アングル内第１固定手段
５５  Ｌ型アングル内第２固定手段
５６  Ｌ型アングル内第３固定手段
５７  第３丸穴
５７ａ  第３丸穴縁
５８  第２縦長穴
５８ａ  第２縦長穴縁
Ｌ  クランプレバー
Ｎ  ナット
Ｂ  ビス
【図１】
2019110784.tif 000003
【図２】
2019110784.tif 000004
【図３】
2019110784.tif 000005
【図４】
2019110784.tif 000006
【図５】
2019110784.tif 000007
【図６】
2019110784.tif 000008
【図７】
2019110784.tif 000009
【図８】
2019110784.tif 000010
【図９】
2019110784.tif 000011
【図１０】
2019110784.tif 000012
【図１１】
2019110784.tif 000013
【図１２】
2019110784.tif 000014
【図１３】
2019110784.tif 000015
【図１４】
2019110784.tif 000016
【図１５】
2019110784.tif 000017